【手続補正書】
【提出日】平成17年8月17日(2005.8.17)
【手続補正１】
【補正対象書類名】特許請求の範囲
【補正対象項目名】全文
【補正方法】変更
【補正の内容】
【特許請求の範囲】
【請求項１】
ゴルフやスキージャンプなど所望の位置に競技具を飛ばすまたは選手が所定の位置に到達するような競技にあって、
当該競技の画像と、上記競技具を飛ばす位置あるいは競技者が到達する所定の位置の近傍の一点あるいは、これとはそれぞれ距離をおいた複数の点に、ラインなどの電子的画像処理になる図形，記号あるいは色彩などのマーク画像を重ね合せる手段と、上記実際の競技画像にあって、その選手及びまたは競技具の所在を検出する手段と、上記マーク画像を重ね合せた際、上記選手及びまたは競技具の領域のみ当該マーク画像を消去する手段とを有することを特徴とするスポーツ競技の画像処理方法
【請求項２】
上記請求項１における選手及びまたは競技具の所在を算出する手段にあって、選手及びまたは競技具の静止画像に限らず、同選手及びまたは競技具の動的画像であっても追跡して行われるようにしたことを特徴とするスポーツ競技の画像処理方法
【手続補正２】
【補正対象書類名】明細書
【補正対象項目名】全文
【補正方法】変更
【補正の内容】
【発明の詳細な説明】
【発明の名称】スポーツ競技の画像処理方法
【技術分野】
【０００１】
本発明は、コンピュータを利用して仮令えばＴＶ画像を処理し、より観戦者に各種のスポーツを楽しめるようにしたスポーツ競技の画像処理方法で、詳しくはゴルフやゲートボールにあっていかにボールがピンの近くまで飛んだか、砲丸投げや走り幅跳びの陸上競技にあって、世界記録に対してどのくらい近くまで投げられたか、飛べたか、スキージャンプにあって所謂Ｋ点越えが出来たか出来なかったか等々が、テレビ等の視聴者に観戦と同時に分かるとすれば、当該視聴者に多大な興味を抱かせることができることは確かであり、本発明はこれを可能としたスポーツ競技画像処理の方法を提唱することにある。
【背景技術】
【０００２】
コンピュータを利用した一般的なスポーツ画像処理として、仮令えばゴルフやその他のスポーツでは、ＵＳＰ５８５７８５５などが知られている。この発明はプロのフォーム画像とアマチュアのフォームの画像を並べ、線や文字でアマチュアのフォームをプロなどの指導者が矯正したりするものであり、またプロのショットの軌跡を線で描いて、いかに困難なコースを克服したかを観戦者にみせて、当該観戦者に感動を与え興味を抱かせる嗜好はよく知られている。
【０００３】
ところでゴルフにあっては、プレイヤの打ったボールがグリーンに「ナイスＯＮ」し、転がってピンに近づいてきた。今このボールがピンに対して何ｍあるいは何ｃｍまで近づいてきたか、TV観戦者がTVの画像で分かったとしたら、なんと興味深く楽しくゴルフプレーを観戦できることであろうか。
【０００４】
また仮令ば走り幅跳びや、円盤，砲丸投げで、予め世界記録やオリンピック記録が、あるいは先に飛んだ、投げた人の位置が画面上に示されれば、それを見ている人に世界記録が出るか、オリンピック記録が出るか、興奮し乍ら絶大な興味を持って観戦できるというものである。
【０００５】
またさらに、スキージャンプにあっても、所謂「K点」に予めラインを引き、果たしてスキーヤーがこの「K点」を越えるジャンプをなし得るかどうか、視覚で確認しつつ観戦できたら、何と素晴らしい興味深い観戦ができるであろうか。
【発明の開示】
【発明が解決しようとする課題】
【０００６】
而して、本発明の目的は、上記要望に供するスポーツ画像の処理方法を提唱することにある。詳しくは、ゴルフのドライブにあってはその飛んだ距離を画像と同時に、あるいはグリーンの上ではピンにいかに近づいたかをそのボールの飛行映像と同時に視覚で観戦できるようにしたことである。
【０００７】
また、砲丸投げ、槍投げ、円盤投げ、走り幅跳び、三段跳びにあっては、仮令えばその世界記録やオリンピック記録を映像上に記号であるいは図形文字で表示させることで、プレイヤがいかにこれら記録に近づけたか、また越える作動がなし得たかを興味深く観戦できるようにしたことである。
【０００８】
さらに、スキージャンプなどにあっては、そのジャンプの映像と同時に所謂「K点」に線を含む図形や記号をその画像上に表示させ得るもので、これら記号あるいは文字、図形を表示させ観戦者に多大な興味を抱かせるようにしたことである。
【課題を解決するための手段】
【０００９】
総じて本発明の特徴は、ゴルフやスキージャンプなど所望の位置に競技具を飛ばすまたは選手が所定の位置に到達するような競技にあって、当該競技の画像と上記競技具を飛ばす位置あるいは競技者が到達する所定の位置の近傍の一点あるいは、これとはそれぞれ距離を於いた複数の点に、ラインなどの電子的画像処理になる図形，記号あるいは色彩などのマーク画像を重ね合せて表示させたことである。
【００１０】
他に本発明の特徴は、上記「重ね合せる手段」にあって、少なくとも当該競技の競技者若しくは競技具には、図形，記号あるいは色彩などのマーク画像が重ね合されることがないようにしたことである。
【００１１】
他に本発明の特徴は上記競技画像にあって、その競技者及び／または競技具の所在を検出すると同時に、その画像上の領域を算出し、上記マーク画像を重ね合せた際、競技者，競技具の領域のみ当該マーク画像を消去するようにしたことである。
【００１２】
他に本発明の特徴は、上記競技者及び競技具の所在を検出する作業は、競技者及び競技具の静止画像に限らず、動的画像であっても追跡して行われるようにしたことである。
【００１３】
なお、その他本発明には優れた特徴及び作用効果を有するが、これらは以下の実施例で説明する。
【発明の効果】
【００１４】
総じて本発明の効果は、テレビのゴルフなどの観戦にあってドライバーの飛行距離やグリーン上にオンした位置や、パッティング動作がそのピンの位置の距離が視覚で分かるようにしたことで、同時にこれにより観戦者はより興味深く、楽しくゴルフプレーを観戦できるようになったのである。
【００１５】
また仮令ば、走り幅跳びや、円盤、砲丸投げで、予め世界記録やオリンピック記録が、あるいは先に飛んだ、投げた人の位置が画面上に示されれば、それを見ている人に世界記録が出るか、オリンピック記録が出るか、興奮し乍ら絶大な興味を持って観戦できるようになったのである。
【００１６】
さらに、スキージャンプにあっても、所謂「K点」に予めラインを引き、果たしてスキーヤーがこの「K点」を越えるジャンプをなし得るかどうか、視覚で確認しつつ観戦できるようになったのである。
【００１７】
特に本発明では、上記マーク画像と人物などが重なって観者に違和感を抱かせることなく興味深いスポーツのＴＶ観戦ができるようになったことである。
【実施例１】
【００１８】
図１を参照して本発明の実施形態を説明するに当り、記憶媒体として仮令えば、ＣＤ−ＲＯＭ、ハードディスク、ＤＶＤなどに記録されたプログラムに従って所定の画像処理を実行するものである。
【００１９】
このプログラムとしては、現在下記のものが考えられている。即ち、
１．ゴルフプレーにあって、そのティーアップの位置からグリーン方向に向かって仮令えば２００，２５０，３００，３５０ヤードを示すラインと数字のマーク画像を得るプログラム。
【００２０】
２．同グリーン上にあって、ピンに対して同芯円状に画かれた、仮令ば、１，３，５，８，１０メートルのサークルマーク画像を得るプログラム。
【００２１】
３．砲丸投げや円盤投げや槍投げにあって、仮令えばそれぞれの世界記録，オリンピック記録のラインを基に、その前後の（＋）あるいは（−）方向に一定間隔で画かれるマーク画像を得るプログラム。
【００２２】
４．スキーのジャンプ競技にあって、所謂「Ｋ点」のラインを基に、その前後の（＋）あるいは（−）方向に一定間隔で画かれるマーク画像を得るプログラム。
【００２３】
５．テレビ受像にあって、上記マーク画像群を、現実の放送画像に重ね合わせるか、あるいはかかるマーク画像は不必要を選択させ指示する手段のプログラム。
【００２４】
６．かかるマーク画像が不必要の場合、該マーク画像の表示を断ち、テレビ受像のみを放映する手段のプログラム。
【００２５】
７．上記マーク画像群を放送画像に重ね合わせる選択をした場合、この実施例では、上記１乃至４の各プログラムを選択して呼び出し、放送画像に重ね合わせる手段のプログラム。
【００２６】
８．上記のマーク画像群を、仮令えば１０〜３０°の角度をつけて、地表面と略同一面とする角度選択手段のプログラム。
【００２７】
９．上記のマーク画像を、実際の映像仮令ばゴルフのグリーン上であればその大きさを検知して、そのマーク画像とのサイズを合わせる手段のプログラム。
【００２８】
１０．次いで上記実際の映像画面とマーク画像を重ね合わせる手段のプログラム。
【００２９】
１１．最後に、マーク画像と実際の画像とが重ね合わされた画像を送信する手段のプログラム。
が、内蔵されている。
【００３０】
続いて、本発明はさらなる工夫がなされている。即ち、図2のフローチャートでも分かるように、上記プログラムと同時に以下のプログラムも内蔵されている。即ち、
【００３１】
１２．上記実際の映像（現像）と、マーク画像との合成画像にあって、映像上の人物や立木その他の建造物などを検出するための手段のプログラム。
【００３２】
１３．同時に上記人物や立木やその他の建造物が上記画像に占める領域を抽出する手段のプログラム。
【００３３】
１４．続いて抽出された画像が主に人物などの動きを伴う画像であった場合、その領域を追跡する手段のプログラム。
【００３４】
１５．上記抽出され及び／または追跡されている人物など自身に表示される上記マーク画像のみこれを消去する手段のプログラム。
【００３５】
１６．及び上記マーク画像のみ消去された後も、この状態で上記人物などの追跡を続行する手段のプログラム。
が内蔵されている。
【実施例２】
【００３６】
図３と４は、実際のゴルフプレーで、図3はミドルホールでのティーアップの位置がフェアウェーからグリーン方向に叩球して、グリーンにオンしたフェアウェーにある状態の画面であり、図４は同グリーン上の画面である。
【００３７】
さてこの放映に先立って本発明の画像処理手段には以下のプログラムが作動するようになっている。即ち、図３で分かるように、ティーグランド（Ａ）の位置からグリーン（Ｂ）方向に向かって、仮令ば１５０，２００，２５０，３００ヤードを示すライン画像（Ｃ）と数字（Ｄ）のマーク画像（Ｅ）を得るプログラムを呼び出し（３）、マーク画像を「要」にセットする。
【００３８】
なお、セットしない「不要」の場合は、その機能を停止（２）させることで、マーク画像（Ｅ）のない通常の映像が放映されること当然である。
【００３９】
また要（ＹＥＳ）にセット（１）した場合は、上記のマーク画像（Ｅ）が図３のように表示されるのであるが、この場合、仮令えばこのマーク画像（Ｅ）とフェアウェー（Ｆ）が同一面上に配されることが少なく、この為には、上記マーク画像（Ｅ）を適当な角度に地表面と略同一な面での表示がなされるよう、予め内蔵したプログラムによって矯正（４）される。
【００４０】
さらにこのマーク画像（Ｅ）は実際の画像の仮令えばフェアウェー（Ｆ）やグリーン（Ｂ）の大きさに対応させたものとしなければならない。この為には、フェアウェー（Ｆ）やグリーン（Ｂ）の大きさを検知してマーク画像（Ｅ）の大きさをこれに見合ったサイズとする手段（５）が採られる。
【００４１】
この結果マーク画像（Ｅ）は、上記実際のフェアウェー（Ｆ）の面と合致し、かつ大きさが整えられ、マーク画像（Ｅ）が表示され合成（６）されたフェアウェー（Ｆ）が送信（７）されるようになっている。而してテレビのいま観戦者は図３に示すようなマーク画像（Ｅ）が画かれたフェアウェー（Ｆ）や、必要に応じてグリーン（Ｂ）を見ることができるのである。この結果、かかる観戦者はティーグランド（Ａ）にあるプレイヤ（Ｇ）が、プロとしてどのくらい飛ばすことができるのか、そのフォームがもとより、叩球仮令えば２００ヤード、２５０ヤードを越えて、ついに３００ヤード以上も飛ばす様子を見て、感嘆の眼差しで多大な興味を持って観戦できるというものである。
【００４２】
次に、同時にグリーン（Ｂ）上にあって、ピン（Ｈ）に対して同芯円状に１，３，５メートルなどのサークルマーク画像（Ｉ）を画くプログラムを用いて図4のような画像を画いておく。この結果、仮令えばフェアウェー（Ｆ）からグリーン（Ｂ）上の１０ｍ先にオンした叩球がピン（Ｈ）に何ｍまでどのくらい近づいたか、その近づいていく様を距離の文字（Ｄ）をみながら興味深く観戦できるというものである。
【実施例３】
【００４３】
本発明を実施するにあたっては上記のようにゴルフに限らず、砲丸投げや円盤投げや槍投げにあっても適用できる。図５と図６は走り幅跳びに用いた一例であり、この場合図６では上記マーク画像を断った状態であり、図５はマーク画像（Ｅ）を合成した画像となっている。この場合選手（Ｊ）が踏切板（Ｋ）から飛ぶ方向に向かって、世界記録，オリンピック記録のラインや、その前後の（＋）あるいは（−）方向に一定間隔で画かれるマーク画像を得るプログラムを用いてそれぞれのラインを画いておけば、この放送の観者が世界記録やオリンピック記録をだせるか、また出す瞬間を音声がなくとも、心ときめかせて観戦できるというものである。
【実施例４】
【００４４】
図の７は本発明をスキージャンプ競技に応用した例である。即ち、スキーのジャンプ競技にあって、所謂「Ｋ点」（Ｍ）のラインを基に、その前後の（＋）あるいは（−）方向に一定間隔で画かれるマーク画像が画がけるプログラムが内蔵されているから、これを呼び出して実際のジャンプ競技の放送画像に重ね合わせ、上記同様の角度調整やサイズの調整を行っておく。而して図示の場合は所謂「Ｋ点」（Ｍ）が１２０ｍを想定したものであり、そのジャンプ台方向に９０ｍとか、７５ｍとかのマーク画像（Ｅ）が画かれている。
【００４５】
そこでテレビの観戦者は、ジャンパー（Ｎ）がジャンプ台（Ｌ）を飛び出し飛空して、７５ｍのラインを、さらに９０ｍのラインを、そして遂に１２０ｍの「Ｋ点」（Ｍ）越えをなす「様」を、そのマーク画像（Ｅ）があることによってより鮮明にとらえて、同時に多大な興味を抱かせることができるというものである。
【００４６】
だが実際の問題として、上記マーク画像（Ｅ）と実際の放送映像（現像）、特に人物を重ね合わせた際、このマーク画像（Ｅ）のラインなどが人物と重ね合わされ、人物にいま模様を作ることは避けなければならない。そこでまず、この発明を実施するにあたって、上記実際の映像（現像）と、マーク画像との合成画像するとき、図２に示すように映像上の人物や立木その他の建造物などを検出（８）するための手段のプログラムを稼動させることが肝要である。
【００４７】
これと同時に上記人物や立木やその他の建造物が上記画像に占める領域を抽出（９）する手段のプログラムを呼び出し、この抽出された画像が主に人物などの動きを伴う画像であった場合、その領域を追跡（１０）する手段のプログラムを稼動させる。
【００４８】
続いて上記抽出され及び／または追跡されている人物など自身に表示される上記マーク画像のみこれを消去する手段（１１）のプログラムを作動させ、さらに上記マーク画像のみ消去された後も、この状態で上記人物などの追跡を続行する手段のプログラムを駆動させることになる。
【００４９】
この結果、仮令えば図４にあってグリーン（Ｂ）にマーク画像（Ｅ）のサークル（Ｉ）が画かれているが、プレイヤ（Ｇ）にはかかるサークル（Ｉ）のマーク画像（Ｅ）が重なって表示されることなく、かかるテレビ放送の観者に違和感を与えることが全くないのである。
【００５０】
なお本発明を実施するにあたっては、かかるプレイヤ人物（Ｇ）が稼動した場合当然のことながらその稼動の追跡を行い、プレイヤ人物（Ｇ
）にマーク画像（Ｅ）が重なり合わない配慮がなされ、かつこの事はかかるプレイヤ人物（Ｇ）の影がある場合は、この影もマーク画像（Ｅ）と重なり合わない工夫をなすことが重要である。
【図面の簡単な説明】
【００５１】
【図１】本発明のシステムの一実施様態としてのＴＶ画像処理の機能ブロック図
【図２】本発明に於ける他のＴＶ画像処理の機能ブロック図
【図３】同ゴルフコース応用例を示す斜視図
【図４】同ゴルフグリーン上の応用例を示す斜視図
【図５】同走り幅跳びの応用例を示す斜視図であって、マーク画像が重ね合わされた状態の図
【図６】同映像そのままの状態の斜視図
【図７】同スキーヤーのジャンプに応用した例を示す斜視図
【符号の説明】
【００５２】
１    セット
２    停止
３    プログラムの呼び出し
４    矯正
５    手段
６    合成
７    送信
８    検出
９    抽出
１０  追跡
１１  消去する手段
Ａ    ティーグランド
Ｂ    グリーン
Ｃ    ライン画像
Ｄ    数字
Ｅ    マーク画像
Ｆ    フェアウェー
Ｇ    プレイヤ
Ｈ    ピン
Ｉ    サークルマーク画像
Ｊ    選手
Ｋ    踏切板
Ｌ    ジャンプ台
Ｍ    Ｋ点
Ｎ    ジャンパー